(57)【要約】      （修正有）【課題】下部の圧着を必要とする通常のクリアファイルにかわるものとして使用でき、且つ下部の差し込み口を切り込み口から外すことにより開いた状態で２穴処理された書類が１枚１枚閲覧できる。また、側面の差し込み口で書類等が固定されているため、書類が外に飛び出しにくくなっている。加えて下部を圧着する必要がないため、生産工程を短縮すると同時にコストを下げることができる。更に２穴ホルダー兼用クリアファイルの材料シートの素材を環境に優しい材料を使用して作成することもできる。【解決手段】クリアファイルの底辺に切り込み口と差し込み口を設け、側面書類等を固定するための差し込み口を設けた上で、書類等に２箇所穴を空けて固定させることはもとより、開閉自由なクリアファイルとして使用することができる。また、宣伝広告効果をより高めるために印刷を施す。【選択図】図２
0003126705.tif 000002
【実用新案登録請求の範囲】
【請求項１】
くり抜き口と差し込み穴を下部に設けることで、下部圧着を必要としないクリアホルダーであり、且つ側面に設けた２穴とじ用の差込口に２穴処理された内容物を固定することで、中の内容物がより落ちずに固定される２穴ホルダー兼用クリアファイル。
【請求項２】
前記の仕様で、クリアファイルとして使用でき、且つ側面に設けた２穴とじ用の差込口に書類等を数枚差し込むことにより、バインダーとして開いた状態で書類を閲覧することができる請求項１記載の２穴ホルダー兼用クリアファイル。
【請求項３】
前記の仕様で、樹脂材料シートの素材を使用することで、下部の差し込み口を何度でも抜き差しすることにより繰り返し使用できる請求項１記載の２穴ホルダー兼用クリアファイル。
【請求項４】
前記の仕様で、下部の差し込み口と側面の差し込み口は抜きでの工程で作成することができる請求項１記載の２穴ホルダー兼用クリアファイル。
【考案の詳細な説明】
【技術分野】
【０００１】  本考案は主として、フイルムシート材料に対して多目的に使用できる利便性の高いノベルティー商品に関する。
【背景技術】
【０００２】  従来のクリアファイルは、下部が圧着しているため中身が数枚入っている場合、ファイルから取り出して内容物を確認しなければならなかった。そのため中身の確認に手間がかかっていた。【０００３】  従来のクリアファイルは４辺の内２辺は開口した状態で、使用中に中身が外に飛び出してしまうことがあった。【０００４】  従来のクリアファイルは下部の圧着が必要だったため、生産工程に時間とコストがかかっていた。
【考案が解決しようとする課題】
【０００５】    本考案は、通常のクリアファイルとして使用でき、且つ下部の差し込み口を外すことにより開いた状態で書類が１枚１枚閲覧できる。また、側面の差し込み口で２穴処理された書類が固定されているため、書類が外に飛び出しにくくなっている。加えて下部を圧着する必要がないため、生産工程を短縮すると同時にコストを下げることができる。更に２穴ホルダー兼用クリアファイルの材料シートの素材を再生樹脂材料もしくはトウモロコシ等から製造されるＰＬＡ《ポリ乳酸》を主原料としたプラスチック材料を使用して環境に優しい商品として作成することもできる。
【課題を解決するための手段】
【０００６】  本考案は、クリアファイルの底部に書類を支えるための差し込み口を設け、側面には２穴処理された書類を固定するための差し込み口を設けることにより通常のクリアファイルでありながら中身を１枚１枚閲覧することができ、中身は外へ飛び出しにくく、生産工程の時間短縮やコストを下げることができる。
下部と側面に設ける差し込み口はクリアファイルを形成する抜きでの工程で作成でき、差し込み口作成のために新たに工程を増やさなくても可能である。
また、材料シートに印刷を施すことにより、販売促進商品としてより高い宣伝広告効果を出すことができる。
【考案実施の形態】
【０００７】  図１は本考案の印刷物の一つである２穴ホルダー兼用クリアファイル（Ｆ）の斜視である。図１においての２穴ホルダー兼用クリアファイル（Ｆ）の左辺（２）は山折になっており、底辺（ｂ）と開口時の左辺（ａ）と開口時の左辺（ｃ）と上辺（ｄ）は圧着されていないため開口している。
また、底辺切り込み口（ｅ）と底辺差し込み口（ｆ）と側面固定上部（ｇ１）と側面固定下部（ｇ２）は抜きの工程で切り込みが入った状態になっている。このファイルに書類等を入れる際には書類に２箇所穴を空け、側面固定上部（ｇ１）と側面固定下部（ｇ２）に穴を通すことにより２穴処理された書類等を固定することができる。書類等は１枚以上入れることができ、数枚入った状態では書類等を１枚１枚めくりながら閲覧することができる。また、図１のように２穴ホルダー兼用クリアファイル（Ｆ）を閉じた状態にし、底辺切り込み口（ｅ）に底辺差し込み口（ｆ）を差し込むことにより、かさばらずに通常のクリアファイルとして使用することができる。
この２穴ホルダー兼用クリアファイル（Ｆ）に書類等を入れる際、２箇所の穴を開けなくても、底辺切り込み口（ｅ）に底辺差し込み口（ｆ）を差し込むことにより、同じく通常のクリアファイルとして使用することが可能である。
また、２穴ホルダー兼用クリアファイル（Ｆ）作成に光透過性を有する樹脂材料シートの素材を使用することで中に入れている書類を見せることもできる。また、樹脂材料シートに表面（１）から見えるように絵柄（図示せず）や文字（図示せず）を印刷することにより、ノベルティー商品や販売促進商品等としても使用することができる。
この２穴ホルダー兼用クリアファイル（Ｆ）で設けられている、底辺切り込み口（ｅ）と底辺差し込み口（ｆ）と側面固定上部（ｇ１）と側面固定下部（ｇ２）は抜きの工程で切り込みが入った状態になっているため、クリアファイルを形成する抜きの工程で一度に作成することができる。
この２穴ホルダー兼用クリアファイル（Ｆ）の材料はシートの素材が光透過性を有する再生樹脂材料もしくはトウモロコシ等から製造されるＰＬＡ《ポリ乳酸》を主原料としたプラスチック材料を使用して環境に優しい商品として作成することもできる。環境に優しい商品として使用する場合、宣伝広告効果を更に高めることができる。
【考案の効果】
【０００８】  本考案は、側面の差し込み口に書類等を固定させることにより中身が落ちにくくなる上、下部が通常のクリアファイルと違い差し込み式になっているためこの２穴ホルダー兼用クリアファイル自体が開閉でき、中の２穴処理された書類等を１枚１枚閲覧することを可能にする。
また、下部が差し込み式になっているため圧着を必要とせず、作業の簡素化が図れる他にコストの削減も可能にする。そして下部と側面の差し込み口は２穴付きクリアファイルを作成する際の抜きの工程で同時に作成できるため差し込み口作成用の作業工程を新たに加える必要がない。
且つ、絵柄や文字を印刷することにより、ノベルティー商品や販売促進商品等としても使用することができる。
更に、シート材料を再生樹脂材料もしくはトウモロコシ等から製造されるＰＬＡ《ポリ乳酸》を主原料としたプラスチック材料を使用することにより、より環境に優しい商品を作成することができる。
【図面の簡単な説明】
【図１】    本考案の印刷物である２穴ホルダー兼用クリアファイルの斜視図。
【図２】    図１の２穴ホルダー兼用クリアファイルを開いた際の斜視図。
【符号の説明】
Ｆ  ２穴ホルダー兼用クリアファイル
１  ２穴ホルダー兼用クリアファイル表面
２  折り筋
ａ    開口時の左辺
ｂ    下辺
ｃ    開口時の右辺
ｄ    上辺
ｅ    底辺切り込み口
ｆ    底辺差し込み口
ｇ１  側面固定上部
ｇ２  側面固定下部
【図１】
0003126705.tif 000003
【図２】
0003126705.tif 000004